(57)【要約】【課題】開封する方向にあまり左右されずに開封されたことを判別し得る封筒を提供する。【解決手段】間に封入物が入れられる対向する表面２と裏面３とを有し、表面２の左縁部２ａ、右縁部２ｂに設けた折重ね片４、５が、裏面３の縁部の内側または外側に折り重ねて貼着されていて、その重なった部分でかつ露出した外側に切込み７、８が文字を形作るように設けられ、折重ね片４、５を剥がすことにより前記切込み７、８からはみ出して破断するようになっている。【選択図】図１
0003146357.tif 000002
【実用新案登録請求の範囲】
【請求項１】
間に封入物が入れられる対向する表面と裏面とを有し、表面の縁部に設けた折重ね片が、裏面の縁部の内側または外側に折り重ねて貼着されていて、その重なった部分でかつ露出した外側に切込みが文字を形作るように設けられ、前記折重ね片を剥がすことにより前記切込みからはみ出して破断するようになっていることを特徴とする封筒。
【請求項２】
請求項１に記載の封筒において、
前記切込みが、複数の異なる文字を含んで形成されていることを特徴とする封筒。
【請求項３】
請求項１または２に記載の封筒において、
前記切込みが、文字の輪郭を構成する二重線状に形成されたものであることを特徴とする封筒。
【請求項４】
請求項１乃至３のいずかに記載の封筒において、
前記表面及び裏面が矩形状であって、その４辺のうちの少なくとも１辺以上に対し、前記折重ね片及び前記切込みが設けられていることを特徴とする封筒。
【考案の詳細な説明】
【技術分野】
【０００１】
本考案は、開封後に貼着し直しても開封が行われたことを目視または手触りにより判るようにした封筒に関する。
【背景技術】
【０００２】
上述した封筒として、従来、封緘片を貼着した後に開封すると、開封したことが判るように工夫を施すことが行われていて、その１つとして、封緘片と、この封緘片を貼着する封緘片対応部とのいずれか一方に、破断用スリットを設ける構成のものが知られている（特開２００４−１９６３１７号公報）。
【０００３】
この技術による場合には、貼着後に封緘片を剥がすと、破断用スリットから裂け目が広がるように破断する。このとき、破断用スリットを外側の露出する側に設けておくことで、剥がした箇所を貼り直してもスリットから延びるように破断した裂け目により開封されたことが判る。
【考案の開示】
【考案が解決しようとする課題】
【０００４】
ところで、破断用スリットとして所定の形状のものを用いているので、開封する方向によっては開封されたことが判り難いという難点がある。
【０００５】
本考案は、このような状来技術の課題を解決するためになされたもので、開封する方向にあまり左右されずに開封されたことを判別し得る封筒を提供することを目的とする。
【課題を解決するための手段】
【０００６】
本考案の請求項１に係る封筒は、間に封入物が入れられる対向する表面と裏面とを有し、表面の縁部に設けた折重ね片が、裏面の縁部の内側または外側に折り重ねて貼着されていて、その重なった部分でかつ露出した外側に切込みが文字を形作るように設けられ、前記折重ね片を剥がすことにより前記切込みからはみ出して破断するようになっていることを特徴とする。
【０００７】
本考案の請求項２に係る封筒は、請求項１に記載の封筒において、前記切込みが、複数の異なる文字を含んで形成されていることを特徴とする。
【０００８】
本考案の請求項３に係る封筒は、請求項１または２に記載の封筒において、前記切込みが、文字の輪郭を構成する二重線状に形成されたものであることを特徴とする。
【０００９】
本考案の請求項４に係る封筒は、請求項１乃至３のいずかに記載の封筒において、前記表面及び裏面が矩形状であって、その４辺のうちの少なくとも１辺以上に対し、前記折重ね片及び前記切込みが設けられていることを特徴とする。
【考案の効果】
【００１０】
本考案による場合には、文字を形作るように切込みが形成されるので、その切込みの各部が違った方向となって全体が複数の方向を向いた状態となる。このとき、切込みが延びる方向またはその方向と近い方向に折重ね片を剥がして開封する場合には、切込みを起点として破断が起こり難いが、切込みが延びる方向と直交する方向またはその直交する方向と近い方向に折重ね片を剥がして開封する場合には、切込みを起点として破断が起こり易い。そして、本考案においては、上述したように切込みの全体が複数の方向を向いた状態となるので、折重ね片を剥がして開封する方向が、例えば任意の複数の方向であっても、そのうちの１つの方向とほぼ直交する、破断し易い切込み方向を含み得るため、開封する方向にあまり左右されずに開封されたことを判別し得る。特に、請求項２の場合には、複数の異なる文字を含むように切込みを形成するので、開封に伴って破断し易い切込み方向を多数に設定することができ、より効果的に開封されたことを判別し得る。
【００１１】
請求項３による場合には、切込みが二重線状であるので、１本線よりも破断し易くさせ得る。
【００１２】
請求項４による場合には、封緘するために開状態に形成された１箇所に、折重ね片及び切込みを設けるだけでなく、袋状にするために他の折重ね片により閉じられた箇所にも、折重ね片及び切込みを設けておくことで、その他の折重ね片により閉じられた箇所が開封されたことも判別し得る。この場合、折重ね片により閉じられた箇所の全てに対し、折重ね片及び切込みを設けることが好ましい。
【考案を実施するための最良の形態】
【００１３】
以下に、本考案の実施形態につき説明する。
【００１４】
図１は、本実施形態に係る封筒の一例を示す模式図である。この封筒１は、間に封入物が入れられる対向する表面２と裏面３とを有し、表面２の左縁部２ａ、右縁部２ｂにそれぞれ突出させて設けた折重ね片４、５が、裏面３の左縁部、右縁部の内側に折り重ねて貼着されることで袋状に形成されている。また、表面２の上縁部２ｃに突出させて設けた折重ね片６は、表面２と裏面３との間に封入物を入れた後に、裏面３の外表面に予め形成された貼着膜７の上に折り重ねることで貼着され、これにより封緘されるようになっている。つまり、折重ね片６は封緘片として機能し、その左右に設けた折重ね片４、５は袋状に形成させるものとして機能する。
【００１５】
この封筒１は、所定形状に裁断された１枚の用紙を折り曲げて表面２と裏面３とを対向するように形成し、表面２に繋がる折重ね片４、５を裏面３に折り重ねて貼着することで袋状に形成されている。なお、表面２の下縁部２ｄは、表面２と裏面３とを対向するように折り曲げた箇所である。また、図示例は、表面２に設けた折重ね片６を貼着する前の未封緘の状態を示す。
【００１６】
また、この封筒１において、折重ね片４、５が裏面３と重なった部分には、露出した外側に切込み７、８が文字を形作るように設けられている。この切込み７、８はそれぞれ、例えば８個の文字を有し、各文字に切込み部７ａ、８ａと切り残し部７ｂ、８ｂとが形成されている。また、切込み７、８は文字の輪郭を構成する二重線状に形成されている。切り残し部７ｂ、８ｂは、各文字が抜け落ちないようにするためである。
【００１７】
上記切込み７、８は、折重ね片４、５を剥がして開封が行われる場合に、その切込み７、８の部分からはみ出すように破断を発生させ、その発生した破断部を封筒の外側から目視により観察できるように、折重ね片４、５を貼着した部分の外側に、本実施形態では折重ね片４、５を裏面３の内側に貼着しているので、裏面３側に形成している。また、破断部の確認は、手触りによっても行われる。上述した破断の内容については、後述する。
【００１８】
また、前記折重ね片６が折り重ねられて貼着される裏面３には、外表面に貼着用の貼着膜９が形成されていて、未封緘のときは前記貼着膜９の上には、シート片１０が貼着膜９の貼着力を利用して貼着されている。このシート片１０の貼着膜９側の表面は、貼着膜９から剥がし易い加工面となっている。よって、このシート片１０を剥がして、折重ね片６を裏面３の上に折り重ねて貼着膜９に貼着すると、封緘される。なお、シート片１０は、貼着膜９よりも大きいサイズのものが好ましい。
【００１９】
また、裏面３の折重ね片６が重ねられる部分には、不連続的に形成された破断線１１が形成されている。この破断線１１は、多数の切断線１１ａが不連続に設けられてもので、折重ね片６を裏面３の上に折り重ねて貼着膜９に貼着した場合において、折重ね片６を剥がそうとすると、不連続部分１１ｂが破断して隣り合う切断線１１ａどうしを繋がらせるものである。
【００２０】
このように封緘された封筒１において、折重ね片４、５を貼着した部分を剥がして開封すると、切込み７、８の部分からはみ出すように破断が発生し、この破断にも基づいて開封が行われたか否かが判る。以下に、このことを詳述する。
【００２１】
即ち、切込み７、８は、文字を形作るように形成されているので、その文字の各部（切込み部７ａ、８ａ）で違った方向となり、全体が複数の方向を向いた状態となる。例えば本実施形態のように複数の文字、Ｅ、Ｎ、Ｌ、Ｏ、Ｐを含むように切込み７、８を設けた場合には、切込み部７ａ、８ａは１つの文字よりも更に多くの方向を向いた状態となる。このとき、切込み部７ａ、８ａが延びる方向またはその方向と近い方向に折重ね片４、５を剥がして開封する場合には、切込み部７ａ、８ａを起点として破断が起こり難いが、切込み部７ａ、８ａが延びる方向と直交する方向またはその直交する方向と近い方向に折重ね片４、５を剥がして開封する場合には、切込み部７ａ、８ａを起点として破断が起こり易い。そして、本実施形態においては、上述したように切込み７、８の全体が複数の方向を向いた状態となるので、折重ね片４、５を剥がして開封する方向が、例えば任意の複数の方向であっても、そのうちの１つの方向とほぼ直交する方向に延びた切込み７、８の部分から破断が発生する。
【００２２】
例えば、図２に示すＥの字の輪郭に沿って二重線状に切込み７、８が形成されていて、折重ね片４、５をＥの字の左側の縦線に沿ったＡ方向に剥がして開封する場合、Ｅの字のＡ方向と直交する３つの横線部分７ｃ（８ｃ）、７ｄ（８ｄ）、７ｅ（８ｅ）の右側端部からはみ出すように破断２０、２１、２２が発生する。なお、上記破断２０〜２２は、例えば方向Ａに限らず、方向Ａから傾いた他の方向Ａ−１、Ａ−２などであっても発生する。
【００２３】
このような破断が発生する条件は、Ａ方向と直交する横線部分７ｃ（８ｃ）〜７ｅ（８ｅ）の端部（この例では右側端部）が、剥がすＡ方向に途切れていて（途切れ部Ｂを有し）、繋がっていないことである。このような破断発生の条件を満たす箇所は、Ｅの字の横線部分の他にも、英文字のＦ、漢数字のニ、三、五、六、七、九、十一、十二・・・、漢字の手、半、挙、右、左、正、生・・・など沢山ある。なお、これらの例は、文字の上下方向を剥がす方向に設定し、上下方向に途切れ部Ｂが有る場合のもので、文字の左右方向を剥がす方向に設定し、左右方向に途切れ部Ｂが有る場合も含むようにすると、更に多くの文字が該当する。要は、方向Ａや、他の方向Ａ−１、Ａ−２などに対して、ほぼ直交する方向に延びる線部分を有する文字が該当する。
【００２４】
そして、上述のように発生した破断２０、２１、２２を目視観察することにより、或いは破断２０、２１、２２が発生した部分の厚み変化を手触りにより判別することが可能になる。
【００２５】
なお、上述した実施形態ではＥ、Ｎ、Ｌ、Ｏ、Ｐを含む複数の文字を含むように切込みを形成していたが、本考案はこれに限らず、上述したような英文字のＦ等、漢数字のニ等、漢字の手等のように破断が起こり易い１文字で切込みを形成するようにしてもよい。但し、複数の文字を含むように切込みを形成した場合の方が、１文字で切込みを形成する場合よりも破断を発生させ易くできる利点がある。また、切込み用の文字としては、例えば会社、学校の名前や略称等、或いは、違法に開封することに対する警告文を表す文字等を用いてもよい。更には、切込み用の文字には、会社の社章や学校の校章等を含む。
【００２６】
また、上述した実施形態では切込みを二重線状に形成しているが、本考案はこれに限らず、文字を１本線で表してもよい。但し、文字を１本線の切込みで表す場合よりも、文字を二重線の切込みで表す方が、破断し易くさせ得る点で好ましい。
【００２７】
更に、上述した実施形態では、表面２の３辺に折重ね片４、５、６を設け、折重ね片４、５が貼着される部分には切込み７、８を形成し、一方、封緘片として機能する折重ね片６が貼着される部分には破断線１１を設け、切込みを省略しているが、本考案はこれに限らず、折重ね片４が貼着される部分に形成される切込み７を省略したり、或いは、折重ね片５が貼着される部分に形成される切込み８を省略したり、或いは、折重ね片４、５、６の全てに対して切込みを形成するようにしてもよい。この場合、折重ね片により閉じられた箇所の全てに対し、折重ね片及び切込みを設けることが安全上好ましい。
【００２８】
更にまた、上述した実施形態では表面２の３辺に設けた折重ね片４、５、６を裏面３に貼着する構成のものに適用しているが、本考案はこれに限らない。例えば、予め筒状に形成された長尺ものを所定長さで切断し、その両側の開口端を折重ね片により貼着する構成のものにも適用できる。この場合、２箇所の開口端の少なくとも一方に折重ね片を設けるとともに、その折重ね片が貼着される部分に切込みを形成すればよい。
【００２９】
更にまた、上述した実施形態では横に長い封筒に対して適用しているが、本考案はこれに限らない。例えば縦に長い封筒や、正方形状の封筒などにも同様に適用することができる。
【図面の簡単な説明】
【００３０】
【図１】本考案の一実施形態に係る封筒の一例を示す模式図である。
【図２】破断が発生する理由の説明図である。
【符号の説明】
【００３１】
１    封筒
２    表面
３    裏面
２ａ    左縁部
２ｂ    右縁部
４、５    折重ね片
７、８    切込み
【図１】
0003146357.tif 000003
【図２】
0003146357.tif 000004